(57)【要約】【課題】ハッチバック式やミニバンの乗用車には、客室の後方にこの客室と連通するラゲッジルームが設けられていることに着目し、このラゲッジルームをペットの座席として有効利用することが出来て、ペットが快適に過ごせる自動車用ペットサークルを提供する。【解決手段】自動車における客室後方のラゲッジルーム内のフロア面を覆うように載置される床板部と、この床板部の前端部から立ち上がってリヤシートのシートバックの背面を覆う前板部と、床板部の左右両端部から立ち上がってラゲッジルーム内の左右両側壁面を覆う左右側板部とから構成され、前板部及び左右側板部の表面には衝撃吸収用のシート材が敷設され、床板部の後端部にはラゲッジルームの床部からリヤバンパを一体に覆うための保護シートが設けられている。【選択図】図１
2007222050.tif 000002
【特許請求の範囲】
【請求項１】
自動車における客室後方のラゲッジルームに搭載するためのペットサークルであって、前記ラゲッジルーム内のフロア面を覆うように載置される床板部と、この床板部の前端部から立ち上がってリヤシートのシートバックの背面を覆う前板部と、床板部の左右両端部から立ち上がってラゲッジルーム内の左右両側壁面を覆う左右側板部とから構成されていることを特徴とする自動車用ペットサークル。
【請求項２】
少なくとも前板部及び左右側板部の表面には衝撃吸収用のシート材が敷設されていることを特長とする請求項１に記載の自動車用ペットサークル。
【請求項３】
床板部の後端部に、ラゲッジルームの床部からリヤバンパを一体に覆うための保護シートが設けられていることを特徴とする請求項１または２に記載のペットサークル。
【請求項４】
床板部に小物収容室が設けられていることを特徴とする請求項１、２または３に記載の自動車用ペットサークル。
【発明の詳細な説明】
【技術分野】
【０００１】
本発明は、主としてハッチバック式の乗用車におけるラゲッジルーム内に搭載して用いる自動車用ペットサークルに関するものである。
【背景技術】
【０００２】
近年、犬などのペットを飼う家庭が非常に増えているが、ペットと共にドライブに出かける時などには、一般的にはペットを乗用車の客室内における後部座席や助手席に載せているのが現状である。
【０００３】
しかしながら以上のようにペットを客室内に載せた場合には、ペットが客室内を不用意に移動するなどして、自動車の運転に支障を与える不具合があるし、また客室内の座席のシートを汚す不具合もあるし、更には急ブレーキをかけた場合にペットがフロントガラスやインストールパネルあるいはシートバックなどにぶつかるなどして、傷つくことも考えられる。
【発明の開示】
【発明が解決しようとする課題】
【０００４】
本発明は以上の実情に鑑みて開発したものであって、ハッチバック式やミニバンの乗用車には、客室の後方にこの客室と連通するラゲッジルームが設けられていることに着目し、このラゲッジルームをペットの座席として有効利用することが出来て、ペットが快適に過ごせる自動車用ペットサークルを提供することにある。
【課題を解決するための手段】
【０００５】
以上の目的を達成するため、請求項１に記載の発明は、自動車における客室後方のラゲッジルームに搭載するためのペットサークルであって、前記ラゲッジルーム内のフロア面を覆うように載置される床板部と、この床板部の前端部から立ち上がってリヤシートのシートバックの背面を覆う前板部と、床板部の左右両端部から立ち上がってラゲッジルーム内の左右両側壁面を覆う左右側板部とから構成されていることを特徴とするものである。
【０００６】
請求項２に記載の発明は、請求項１に記載のペットサークルにおいて、少なくとも前板部及び左右側板部の表面には衝撃吸収用のシート材が敷設されていることを特長とするものである。
【０００７】
請求項３に記載の発明は、請求項１または２に記載のペットサークルにおいて、床板部の後端部にはラゲッジルームの床部からリヤバンパを一体に覆うための保護シートが設けられていることを特徴とするものである。
【０００８】
請求項４に記載の発明は、請求項１、２または３に記載のペットサークルにおいて、床板部には小物収容室が設けられていることを特徴とするものである。
【発明の効果】
【０００９】
請求項１に記載の発明によれば、ラゲッジルーム内に本発明にかかるペットサークルを搭載するだけで、ラゲッジルームをペットのための部屋として利用することが出来るのは勿論のこと、前板部と床板部と左右側板部とにより、リヤシートのシートバックの背面とラゲッジルーム内の床面及び左右両側壁面とが覆われるので、ラゲッジルームが不用意に汚れるのも防ぐことが出来る。
【００１０】
請求項２に記載の発明によれば、請求項１に記載の発明の効果に加え、少なくとも前板部及び左右側板部の表面に敷設される衝撃吸収用シート材により、ペットを保護することが出来る。
【００１１】
請求項３に記載の発明によれば、請求項１または２に記載の発明の効果に加え、保護シートによりラゲッジルームの床部及びリヤバンパを覆うことが出来るので、ラゲッジルームの床面やリヤバンパ表面の塗装面を犬の爪などから保護することが出来る。
【００１２】
請求項４に記載の発明によれば、請求項１、２または３に記載の発明の効果に加え、床板部の下面側に設けた小物入れの収容室に例えばペットのための品やカー用品などを格納しておくことが出来る。
【発明を実施するための最良の形態】
【００１３】
以下、本発明にかかるペットサークルを図に示す実施形態に基づいて説明する。
【００１４】
図１は、ペットサークルの斜視図、図２は、同、分解斜視図、図３は、ペットサークルの使用状態を示す斜視図、図４は、ペットサークルの正面図である。
【００１５】
そして図において符号１で示すペットサークルは、主としてハッチバック式の２ボックス車Cにおける客室後方のラゲッジルームR内に搭載されるものであって、このペットサークル１は、基本的には、ラゲッジルームR内のフロア面Fを覆うように載置される床板部２と、この床板部２の前端部から立ち上がってリヤシートのシートバックSＢの背面を覆う前板部３と、床板部２の左右両端部から立ち上がってラゲッジルームR内の左右両側壁面を覆う左右側板部４a・４ｂとから構成されている。
【００１６】
床板部２は、左右に分割されており、これら左右床板部２a・２ｂは、ラゲッジルームR内のフロア面Fに載置される左右ベース板２１a・２１ｂと、これら各ベース板２１a・２１ｂ上に仕切り板２２a・２２ｂで仕切られた小物収容室２３a・２３ｂと、小物収容室２３a・２３ｂの開口を開閉する複数枚の開閉蓋２４と、これら開閉蓋２４上に載せられる床板２５とから構成され、床板２５の上面には、コルクマット２６が敷設されている。
【００１７】
前述の左右床板部２a・２ｂは、連結金具５を介して着脱可能に連結される。
【００１８】
前板部３も左右に分割されており、これら左右前板部３a・３ｂは、床板部２に対して連結金具５を介して着脱可能となっている。
【００１９】
そしてこれら左右前板部３a・３ｂにおけるラゲッジルームR側の表面には、衝撃吸収シート６が貼り付けられている。
【００２０】
左右側板部４a・４ｂは、下端部が左右床板部２a・２ｂに固定される縦板片４１a・４１ｂと、この縦板片４１a・４１ｂの上端から斜め外方に傾斜する傾斜板片４２a・４２ｂと、この傾斜板片４２a・４２ｂの上端から車幅方向外方に向けて伸びる水平板片４３a・４３ｂとから構成されており、これら左右側板部４a・４ｂにより、ラゲッジルームR内の左右側壁面、具体的には、このラゲッジルームR内の左右側壁面に突出するリヤホイールハウスRHの側壁面RH−１と上壁面RH−２を一体に覆うようにしている。
【００２１】
そしてこれら左右側板部４a・４ｂにおけるラゲッジルームR側の表面にも、衝撃吸収シート６が貼り付けられている。
【００２２】
また床板部２における床板２５の後端部と、ベース板２１の後端部との間には、保護シート７の格納空間７０が設けられており、この格納空間７０に格納される前記保護シート７は、その長さ方向一端がベース板２１の後端部に接続され、格納空間７０への格納は、その長さ方向他端側から順次巻き取って円筒状にした状態で格納空間７０内に格納するようにしている。
【００２３】
そしてこの保護シート７は、図３に示すように、リヤゲートGの外方に広げることで、ラゲッジルームRの床面からリヤバンパＢの表面を一体に覆うようにしている。
【００２４】
保護シート７は、前記した衝撃吸収シート６と同じ材質のものから形成されている。
【００２５】
尚、以上の実施形態では、ペットサークル１を構成している床板部２のベース板２１、仕切り板２２、開閉蓋２４、床板２５と、左右前板部３a・３ｂと、左右側板部４a・４ｂの縦板片４１a・４１ｂ、傾斜板片４２a・４２ｂ、水平板片４３a・４３ｂが、それぞれ木材から形成されているが、木材に限定されるものではなく、例えばFRP樹脂材料から形成してもよい。
【００２６】
連結金具５は、図６に示すように、係合溝５１が備えられた第１連結板５２と、この第１連結板５２の係合溝５１に係合可能な係合片５３が備えられた第２連結板５４とから構成され、第１連結板５２を連結する部材の一方に、第２連結板５４を連結する部材の他方にそれぞれ固定している。
【００２７】
以上の構成から成るペットサークル１は、図３にも示すように、ハッチバック式の２ボックス車CにおけるラゲッジルームR内に搭載して用いるのであり、ラゲッジルームRへの搭載に伴い、ラゲッジルームRの床面が床板部2で覆われ、リヤシートにおけるシートバックSBの背面が前板部３で覆われ、更にラゲッジルームR内の左右側壁面、具体的には、ラゲッジルームR内の左右側壁面に突出するリヤホイールハウスRHの側壁面RH−１と上壁面RH−２が左右側板部４a・４ｂにより覆われるので、このペットサークル１内に入れられたペットにより車室内が不用意に傷ついたりあるいは汚損するようなことがないし、しかも前板部３及び左右側板部４a・４ｂの表面が衝撃吸収シート６で覆われており、また床板部２における床板２５上面もコルクマット２６で覆われているので、このペットサークル１内で犬が騒ぐなどしても、犬の体などが不用意に傷つくような不具合はない。
【００２８】
またリヤゲートGからペットサークル１内へのペットの出入りに際しては、バックドアDを開けた上で、格納室７０に円柱状に巻いて格納している保護シート７をリヤゲートGの外方に広げれば、ラゲッジルームRの床面及びリヤバンパＢの表面が保護シート７で覆われるので、ラゲッジルームRの床面やリヤバンパＢの表面の塗装面が犬の爪などで傷つくことがない。
【００２９】
また更に以上のペットサークル１は、左右の前板部３a・３ｂをそれぞれ床板部２から取り外すことが出来、しかも床板部２も左右の床板部２a・２ｂに分解することが出来るので、ラゲッジルームRに対するペットサークル１の搭載及び取り外しが簡単且つ容易に行なえ、全体としてラゲッジルームRの使用勝手が良くなる。
【００３０】
一方、床板部２に設けた小物収容室２３には、例えばペット用品やカー用品などを格納することが出来るので、小物類の整頓が容易に行なえる。
【００３１】
以上の実施形態では、本発明にかかるペットサークル１をハッチバック式の２ボックス車CのラゲッジルームR内に搭載するようにしたが、これに限定されるものではなく、例えばミニバンタイプの自動車のラゲッジルームやワンボックスタイプの自動車のラゲッジルーム内に搭載するようにしてもよい。
【００３２】
また以上の実施形態では、床板２５上にコルクマット２６を敷設したが、これに限定されるものではなく、コルクマット２６に替えて例えば衝撃吸収シート６を床板２５上に敷設してもよい。
【００３３】
また以上の実施形態において、ラゲッジルームRや客室の環境を高めるべく、ペット臭に含まれるメチルメルカプタンガスやホルムアルデヒドガスを吸着するための化学シート基材を例えば前板部３に敷設してもよい。
【図面の簡単な説明】
【００３４】
【図１】本発明にかかるペットサークルの一実施形態を示す斜視図。
【図２】本発明にかかるペットサークルの一実施形態を示す分解斜視図。
【図３】自動車のラゲッジルーム内に搭載した状態を示すペットサークルの斜視図。
【図４】本発明にかかるペットサークルの一実施形態を示す正面図。
【図５】図３におけるX−X線断面図。
【図６】連結金具の分解斜視図。
【符号の説明】
【００３５】
１      ペットサークル
２      床板部
２１    ベース板
２３    小物収容室
２４    開閉蓋
２５    床板
３      前板部
４a     左側板部
４ｂ    右側板部
５      連結金具
６      衝撃吸収シート
７      保護シート
C       乗用車
R       ラゲッジルーム
Ｂ       リヤバンパ
G       リヤゲート
【図１】
2007222050.tif 000003
【図２】
2007222050.tif 000004
【図３】
2007222050.tif 000005
【図４】
2007222050.tif 000006
【図５】
2007222050.tif 000007
【図６】
2007222050.tif 000008